(57)【要約】      （修正有）【課題】大容量メモリ中のデータへのアクセス中のアクセス時間による特有の欠点を解消することにある。【解決手段】大容量メモリＭとは別のランダムアクセスメモリ１４と、読取り手段１１により導入メモリＩから読取った全ての導入データ及び大容量メモリから読取ったデータセットの少なくとも一部をランダムアクセスメモリに転送する転送手段と、ランダムアクセスメモリから読取った導入データの１つを再生すると共に、所定のデータセットにアクセスして導入データに対応するデータセットを再生よりも高速でランダムアクセスメモリに転送し、ランダムアクセスメモリに転送されたデータセットを読取って対応する導入データと共に再生する処理手段１５とを有し、導入データは対応するデータセットの始めの部分であり、大容量メモリが順次情報媒体８であり、データセットが大容量メモリに順番に配列されている。【選択図】図２
2007059054.tif 000002
【特許請求の範囲】
【請求項１】
所定のデータセットへの読取りのアクセスがアクセス時間中に行われる、情報媒体上の大容量メモリに含まれるデータセットにアクセスする装置であって、
大容量メモリから分離しているが同じ情報媒体に基づく、導入データを含む導入メモリと、
前記導入メモリ及び前記大容量メモリからの読取りを行う読取り手段と、
前記所定のデータセットにアクセスするコマンドを獲得する、少なくとも前記導入メモリに接続されたコマンド手段と、
前記大容量メモリとは別のランダムアクセスメモリと、
前記読取り手段により前記導入メモリから読取った全ての導入データ及び前記大容量メモリから読取ったデータセットの少なくとも一部を前記ランダムアクセスメモリに転送する転送手段と、
該ランダムアクセスメモリから読取った導入データの１つを再生すると共に、所定のデータセットにアクセスして当該導入データに対応するデータセットを前記再生よりも高速で前記ランダムアクセスメモリに転送し、該ランダムアクセスメモリに転送された前記データセットを読取って対応する前記導入データと共に再生する処理手段とを有し、
前記導入データは対応するデータセットの始めの部分であり、
前記大容量メモリが順次情報媒体であり、データセットが前記大容量メモリに順番に配列されている装置。
【請求項２】
所定のデータセットへの読取りのアクセスがアクセス時間中に行われる、情報媒体上の大容量メモリに含まれるデータセットにアクセスする装置であって、
大容量メモリから分離しているが同じ情報媒体に基づく、導入データを含む導入メモリと、
前記導入メモリ及び前記大容量メモリからの読取りを行う読取り手段と、
前記所定のデータセットにアクセスするコマンドを獲得する、少なくとも前記導入メモリに接続されたコマンド手段と、
前記大容量メモリとは別のランダムアクセスメモリと、
前記読取り手段により前記導入メモリから読取った全ての導入データ及び前記大容量メモリから読取ったデータセットの少なくとも一部を前記ランダムアクセスメモリに転送する転送手段と、
該ランダムアクセスメモリから読取った導入データの１つを再生すると共に、所定のデータセットにアクセスして当該導入データに対応するデータセットを前記再生よりも高速で前記ランダムアクセスメモリに転送し、該ランダムアクセスメモリに転送された前記データセットを読取って対応する前記導入データと共に再生する処理手段とを有し、
前記導入データは対応するデータセットの共通の特徴によって関係付けられるサブセットであり、
前記大容量メモリが順次情報媒体であり、データセットが前記大容量メモリに順番に配列されている装置。
【請求項３】
前記順次情報媒体が磁気テープである請求項１又は２に記載の装置。
【請求項４】
データセットが音声及び／又はビデオ・シーケンスである請求項１から３のいずれか１項に記載の装置。
【発明の詳細な説明】
【技術分野】
【０００１】
本発明は、大容量メモリに含まれるデータセットにアクセスすることを実施可能にする装置に関する。この装置は、特に磁気テープ・プレーヤ／レコーダで使用することができる。
【背景技術】
【０００２】
大容量メモリは、比較的多量のデータを記憶するために広く使用されている。大容量メモリは、例えば光学的又は磁気的に読取り可能なディスクや磁気テープ、あるいは半導体に基づく電子回路などから形成することができる情報媒体を必要とする。大容量メモリの読取り方式によって、また大容量メモリ中のデータの配列方式によって、データ読取りのアクセスに要するアクセス時間は長くなったり短くなったりする。アクセス時間の大部分は、読取り装置が、読取ろうとするデータを読取ることができる状態になるのにかかる時間に起因している。大容量メモリ中に配列された多数のデータ項目に非順序的にアクセスしようとする場合には、このアクセス時間によって大容量メモリの有効性が低下する可能性がある。例えば磁気テープ媒体に基づく大容量メモリはこれに該当する。この大容量メモリは、互いにグループ化されて例えば歌などをそれぞれに表すデータセットになったデータを含むことができる。各歌はこの磁気テープの規定長さに分離され、同一磁気テープ上で１つの歌から別の歌へのアクセスを得るためには、磁気テープの規定長さ全体をこの読取り装置に通すことがまず第１に必要である。
【発明の開示】
【発明が解決しようとする課題】
【０００３】
本発明が解決策を提供しようと企図する問題は、大容量メモリ中のデータへのアクセス中のアクセス時間による特有の欠点を解消することである。
【課題を解決するための手段】
【０００４】
提起した問題に対する本発明による１つの解決策は、ある情報媒体に基づく大容量メモリに含まれるデータセットの中の決定したデータセットにアクセスする方法であって、
決定したデータセットにアクセスするコマンドを獲得する段階と、
アクセスするコマンドを獲得した後で、大容量メモリとは異なるがこの情報媒体に基づいている導入メモリから導入データを読取る段階と、
導入メモリから読取った導入データを処理する段階と、
導入データを処理する段階と同時に、決定したデータセットへのアクセス操作を実現する段階とを含む方法にある。
【０００５】
導入データの処理は、例えば、この導入データが音響データ又はビデオ・データである場合には、音楽及び／又は画像に再生することである。
【０００６】
本発明によるアクセス方法の好ましい実施形態によれば、処理は、アクセス操作の対象となるデータセットに特有の導入データについて実行される。
【０００７】
導入データは、例えばアクセスするデータセットのサブセットとなることもある。
【０００８】
本発明によれば、提起した問題に対する解決策は、決定したデータセットへの読取りのアクセスがアクセス時間中に行われる、情報媒体に基づく大容量メモリに含まれるデータセットにアクセスする装置にも見ることができる。この装置は、大容量メモリから分離しているが同じ情報媒体に基づく、導入データを含む導入メモリを含む。この装置は、導入メモリからの読取りを行う読取り手段と、決定したデータセットにアクセスするコマンドを獲得する、少なくとも導入メモリに接続されたコマンド手段と、特に決定したデータセットにアクセスする時間中に作動する、読取った導入データを処理する処理手段とをさらに含む。
【０００９】
本発明による装置の１つの好ましい実施形態によれば、この装置は、大容量メモリから分離した一時メモリと、データセットの読取り中に少なくともこのデータセットの一部分を大容量メモリから一時メモリに転送する転送手段と、一時メモリからの読取りを行うさらに別の読取り手段と、少なくともこの一時メモリからの読取りをさらに行う読取り手段に連結された、データセットを読取った後の時点でこのセットを再生する再生手段とを含む。
【００１０】
データセットの読取りが終了するときに、遅延方式でデータを再生し続けながら、例えば別のデータセットへのアクセスをさらに得ることができる。
【００１１】
本発明のさらに別の特徴及び利点は、添付の図面に関連して以下に与える、本発明による例の説明を読めば明らかになるであろう。
【００１２】
記載の例は、本発明を説明及び例示するために与えたものであり、本発明の制限となるものではないことは明らかである。
【発明を実施するための最良の形態】
【００１３】
図１では、データセットへのアクセスはアクセスコマンド１によってトリガされる。アクセスコマンド１が完了すると、導入メモリ２からの導入データが読取りステージ３中に読取られる。次いで読取られた導入データは、例えばこれらのデータの再生ステージ５への転送などである処理ステージ４での処理を受ける。アクセスコマンド１は、また、大容量メモリ７に含まれるデータセットにアクセスする操作６もトリガする。読取りステージ３及び処理ステージ４は、アクセス操作６と同時に行われる。アクセス操作６はアクセス時間後に処理ステージ４に信号を送る。処理ステージ４の１つの実施形態によれば、導入データの転送は中断され、再生ステージ５に転送されるのはアクセスされたデータセットのデータである。
【００１４】
別の実施形態によれば、処理ステージ４は、データセットを転送する前に読取った全ての導入データを転送する。これは、例えば導入データが通知項目（advertising item）である場合には有利である。
【００１５】
導入メモリ２は、データセットに特有の導入データを含んでいるかもしれない。この場合、読取りステージ３は、どのデータセットにアクセスしなければならないかをアクセスコマンド１において認識し、このデータセットに特有の導入データを導入メモリ２から読取る。
【００１６】
特有の導入データは、例えば、対応するデータセットのサブセット、より正確に言えば、データセットが歌である場合には歌のはじめの部分であるかもしれない。大容量メモリの各歌にアクセスする時間は不定であるので、処理ステージ４は、導入データの転送中に転送していない、アクセス操作６中にアクセスした歌の一部分だけを、アクセス操作６が終了して処理ステージ４に信号を送った時点で、再生ステージ５に転送するように実施することができる。したがって、データセットの再生ステージ５は、中断されず、アクセスコマンド１が与えられた時点から開始される。
【００１７】
特有の導入データは、また、データセットのいくつかのサブセットからなることもある。これらのサブセットは、アクセスしたデータセットに共通の特徴によって関係付けられる。データセットが歌である場合には、この共通の特徴は、例えば歌のタイプやその歌が発表された日付などであることがある。したがって、タイプＡの歌にアクセスする時間中に、処理ステージ４は、同じタイプＡの歌からの抜粋を含む導入データを再生ステージ５に転送する。
【００１８】
図２は、例えば磁気テープになることもある順次情報媒体８を示す図である。情報媒体８上では、導入メモリＩは導入データ９を記憶し、大容量メモリＭは、セット１０を含む順次配列されたデータセットを記憶している。
【００１９】
導入データ９及びセット１０は、読取り装置１１が媒体に向かって適当な位置に位置決めされた時に、この読取り装置によって読取ることができる。ユーザ１２は制御装置１３を制御してセット１０にアクセスする。ユーザのコマンドに続いて、読取り装置１１は導入データ９を読取り、制御装置１３は読取った導入データをランダムアクセスメモリ１４に記憶することになる。次いで、読取り装置１１がセット１０にアクセスして読取りを行うのと同時に、ランダムアクセスメモリ１４からの導入データをデータ再生ユニット１５で処理する。読取り装置１１が導入データ９の読取りからセット１０の読取りに移るのに要するアクセス時間は、特に媒体８上で導入データ９及びセット１０を分離している距離Ｄの関数として変化する。
【００２０】
再生ユニット１５及びランダムアクセスメモリ１４は、導入データを処理する処理手段である。媒体８が音楽プレーヤで使用する磁気テープである場合には、再生ユニット１５は音声データ増幅器とすることができる。
【００２１】
再生ユニット１５は、また、セット１０のデータを読取り後に再生するために使用することもできる。この場合には制御装置１３は、セット１０のデータを直接再生ユニット１５に転送する。
【００２２】
導入メモリＩは、大容量メモリＭに含まれるデータセットに特有の導入データを含むことがある。この場合には、例えば、アクセスするデータセットに特有の導入データのみを複製してランダムアクセスメモリ１４に入れ、次いでこれを再生する。このアクセス装置の１つの変更態様では、全ての特有の導入データを複製してランダムアクセスメモリ１４に入れ、アクセスするセットに特有のデータのみをアクセス中に再生する。したがって、データセットにアクセスしなければならない毎に導入メモリを読取る必要はない。
【００２３】
特有の導入データは、データセットのサブセットになることもある。データセットの性質によって、このサブセットは例えば、音楽の抜粋、フィルムのトレーラ、ソフトウェアのモジュールなどを表す。
【００２４】
図２に示す装置の動作の１つの変更態様では、セット１０から読取ったデータがランダムアクセスメモリ１４に転送され、次いでこのランダムアクセスメモリから再生される。セット１０の読取りが、ランダムアクセスメモリからデータを再生するより速く行われると、読取りと比較して再生が遅れる。セット１０が完全に読取られて、制御装置１３からの次のコマンドを実行しなければならなくなると、このコマンドを実行しつつセット１０の再生が続行される。
【図面の簡単な説明】
【００２５】
【図１】本発明によるアクセス方法のフローチャートである。
【図２】本発明によるアクセス装置の概略図である。
【符号の説明】
【００２６】
８  順次情報媒体
９  導入データ
１０  セット
１１  読取り装置
１２  ユーザ
１３  制御装置
１４  ランダムアクセスメモリ
１５  データ再生ユニット
【図１】
2007059054.tif 000003
【図２】
2007059054.tif 000004